(57)【要約】【課題】  侍用カツラを装着しても、着用者が痛みを感じることがない侍用カツラを提供する。【解決手段】  頭部に装着されたキャップＨの露出部周縁部に近い位置で、頭部の後頭部及び両側頭部を囲むように形成されたバネ性を有する枠部材３を用いる。枠部材３には、複数の柔軟なシート材料が重合されて構成された被覆部材５を取り付ける。被覆部材５には係止材料２５を固定する。枠部材３のバネ性と被係止材料Ｅ及び係止材料２５の係止とを利用して頭部に着用し、被係止材料Ｅと係止材料２５との係止と協働して、侍用カツラ１を頭部に保持するように、枠部材３の形状及びバネ性を定める。【選択図】  図１
2010216063.tif 000002
【特許請求の範囲】
【請求項１】
着用者の頭部に装着されたキャップの頂部を露出させるようして前記キャップの上にかぶせて使用される侍用カツラであって、
前記頭部に装着された前記キャップの露出部周縁部に近い位置で、前記頭部の後頭部及び両側頭部を囲むように形成されたバネ性を有する枠部材と、
前記枠部材に取り付けられて前記後頭部及び前記側頭部の主要部分を被う、複数枚の柔軟なシート材料が重合されて構成された被覆部材と、
前記被覆部材の最も外側に位置する前記シート材料に植毛されたカツラ用毛髪とを備え、
前記被覆部材の前記キャップと対向する最も内側に位置する前記シート材料には、係止層を備えた係止材料が固定されており、
前記係止層は、前記キャップに固定された被係止材料の被係止層に係止と脱係止とを繰り返すことが可能に係止される構造を有しており、
前記枠部材の形状及びバネ性は、前記被係止材料と前記係止材料との係止と協働して、前記侍用カツラを保持するように定められていることを特徴とする侍用カツラ。
【請求項２】
１以上の前記係止材料が、前記被覆部材の中央部または中央部近傍に固定されている請求項１に記載の侍用カツラ。
【請求項３】
前記被係止材料及び前記係止材料は、両者が組になって面ファスナにより構成されていることを特徴とする請求項２に記載の侍用カツラ。
【請求項４】
前記枠部材は、細長い板を加工して形成されており、
前記シート材料は、織布または不織布からなり、重合された複数枚の前記シート材料の少なくとも２つのシート材料の縁部は、前記複数枚のシート材料を重合したものよりも固い材料からなる縁取り部材によって覆われている請求項１または２に記載の侍用カツラ。
【請求項５】
前記被覆部材の前記キャップと対向する縁部には、形状変形が可能で変形状態を保持できる細長い板状材料からなる複数の形状保持プレートが、最も外側に位置する前記シート材料の縁部が捲れ上がるのを防止するように分散して配置されている請求項１に記載の侍用カツラ。
【請求項６】
前記キャップは、前記着用者の前記頭部の頂部を覆う部分がラテックスを原料とする材料により形成されており、
前記ラテックスを原料とする材料により形成されている前記部分に前記被係止材料が固定されている請求項１に記載の侍用カツラ。
【請求項７】
前記枠部材には、前記枠部材を貫通する複数の貫通孔が分散して形成されている請求項１に記載の侍用カツラ。
【発明の詳細な説明】
【技術分野】
【０００１】
本発明は、映画の時代劇等で侍役の俳優が使用する侍用カツラに関するものである。
【背景技術】
【０００２】
時代劇等で使用される従来の侍用カツラでは、金属製の型枠部材に対して固定された被覆部材にカツラ用毛髪を取り付けたものが使用されている。この侍用カツラでは、型枠部材が頭の後頭部と側頭部に沿う形をしており、基本的には型枠部材だけで侍用カツラを頭部に固定している。また、特開平２−２５１６０５号公報に示された侍用カツラでは、縁部に格子状の変形可能な針金を配置して、侍用カツラ装着後に侍用カツラの縁部の形状を着用者の頭部に合わせて変形出来るようにしている。
【先行技術文献】
【特許文献】
【０００３】
【特許文献１】特開平２−２５１６０５号公報
【発明の概要】
【発明が解決しようとする課題】
【０００４】
しかしながら、型枠部材を用いる従来の侍用カツラでは、主として型枠部材だけで着用者の頭部にカツラを固定するため、型枠部材のバネ性が強く、着用者は常に頭を強く締め付けられている感じを受けている。また、特開平２−２５１６０５号公報に示された侍用カツラには、具体的な取り付け構造が示されていない。また該公報に示された侍用カツラでは、地肌と見せかける部分（キャップ）とカツラ本体とが一緒になっている。そのためキャップにしわができる問題がある。
【０００５】
本発明の目的は、侍用カツラを装着しても、着用者が痛みを感じることがない侍用カツラを提供することにある。
【０００６】
本発明の他の目的は、上記目的に加えて、襟足に不自然さがない侍用カツラを提供することにある。
【０００７】
本発明の更に他の目的は、しわが寄ることがない布地付きキャップを使用する侍用カツラを提供することにある。
【課題を解決するための手段】
【０００８】
本発明が改良の対象とする侍用カツラは、着用者の頭部に装着されたキャップの頂部を露出させるようしてキャップの上にかぶせて使用する。ここでキャップとは、着用者の頭部にかぶせられて侍用カツラを装着した際に、露出部を地肌と見せかけるために使用されるものである。本発明の侍用カツラは、頭部に装着されたキャップの露出部周縁部に近い位置で、頭部の後頭部及び両側頭部を囲むように形成されたバネ性を有する枠部材と、枠部材に取り付けられて後頭部及び側頭部の主要部分を被う、複数の柔軟なシート材料が重合されて構成された被覆部材と、被覆部材の最も外側に位置するシート材料に植毛されたカツラ用毛髪とを備えている。そして本発明では、被覆部材のキャップと対向する最も内側に位置するシート材料に、係止層を備えた係止材料を固定する。この係止層は、キャップに固定された被係止材料の被係止層に、係止と脱係止とを繰り返すことが可能に係止される構造を有している。枠部材の形状及びバネ性は、被係止材料と係止材料との係止と協働して、侍用カツラを頭部に保持するように定める。すなわち着用者が激しい動きをしても外れることがない程度の確実さを持って、被係止材料と係止材料との係止と協働して、カツラを保持できるように枠部材の形状及びバネ性を定める。また、「バネ性」とは、枠部材を頭部の後頭部及び両側頭部に弾発的に嵌合させる特性である。
【０００９】
本発明の侍用カツラは、枠部材のバネ性と被係止材料及び係止材料の係止とを利用して頭部に着用する。特に、本発明のように、被係止材料と係止材料との係止と協働した場合に限って、侍用カツラを頭部に確実に保持できるように、枠部材の形状及びバネ性を定めると、枠部材のバネ力を小さくしても、侍用カツラを頭部にしっかりと着用できて、侍用カツラの頭部に対する位置決めも正確に行える。そのため、着用者は、従来に比べて枠部材による痛みを感じずに侍用カツラを着用できる。
【００１０】
１以上の係止材料は、被覆部材の中央部または中央部近傍に固定するのが望ましい。このようにすれば、係止材料が頭部の中心位置に近い場所に位置するため、係止材料に加わる力を偏りのないものとすることができる。そのため、係止材料と被係止材料とが脱係止状態になるのを防ぐことができる。なお複数の係止材料を分散して設ける場合には、特に係止材料の位置を中央部または中央部近傍にする必要はない。
【００１１】
被係止材料及び係止材料は、例えば、両者が組になって面ファスナを構成するものを用いることができる。面ファスナとしては、一般的にマジックテープ（登録商標）と呼ばれるものを用いることができる。面ファスナは、入手が容易で、しかも繰り返し使用することができるため、製品の価格の低減化と長寿命化とに寄与する。
【００１２】
枠部材は、細長いバネ性を有する板を加工して形成することができる。このようにすれば、寸法及びバネ力が小さい枠部材を容易に形成できる。また、シート材料は、織布または不織布からなり、重合された複数枚のシート材料の少なくとも２つのシート材料の縁部は、複数枚のシート材料を重合したものよりも固い材料からなる縁取り部材によって覆うことができる。このようにすれば、縁取り部材により、被覆部材の形状を維持した状態で侍用カツラ内に配置することができる。
【００１３】
被覆部材のキャップと対向する縁部には、形状変形が可能で変形状態を保持できる細長い板状材料からなる複数の形状保持プレートを、最も外側に位置するシート材料の縁部が捲れ上がるのを防止するように分散して配置するのが好ましい。このようにすれば、複数の形状保持プレートにより、最も外側に位置するシート材料の縁部が捲れ上がるのを防止できる。そのため、襟足部分を最も外側に位置するシート材料に植毛したカツラ用毛髪により形成しても、襟足部分が剥がれたり、捲れ上がるのを阻止して、自然な襟足を実現することができる。
【００１４】
キャップは、頭部の頂部を覆う部分がラテックスを原料とする材料により形成するのが好ましい。ここで、ラテックスとは、ゴムの形成材料となる液体であり、ラテックスを原料として、薄い膜を重ねて柔らかいゴムシートを形成することができる。キャップをこのようにすれば、長時間にわたって使用しても、キャップの露出部分にしわが形成されることはない。また、ラテックスを原料とする材料により形成されている部分に被係止材料を固定すれば、被係止材料を容易に固定できる。
【００１５】
枠部材には、枠部材を貫通する複数の貫通孔を分散して形成することができる。このようにすれば、複数の貫通孔により、通気性を高めることができる。また、必要に応じて複数の貫通孔を通して複数枚のシート材料の縫い合わせを行うことができる。
【００１６】
キャップは種々の形状に形成することができる。例えば、着用者の毛髪が薄い場合には、着用者がキャップを装着した状態で、着用者の両耳の上方の地肌が露出するような形状に形成することができる。このようにすれば、キャップの装着部分を少なくでき、着用者のキャップ装着の負担を少なくできる。
【図面の簡単な説明】
【００１７】
【図１】本発明の一実施の形態の侍用カツラの内部構造を示すために侍用カツラを正面から見て左右方向に展開した図である。
【図２】図１のII-II線断面図である。
【図３】図１に示す侍用カツラを分解した態様を模式的に表した図である。
【図４】図１の上方から見た枠部材の平面図である。
【図５】本発明の他の実施の形態の侍用カツラの内部構造を示すために侍用カツラを正面から見て左右方向に展開したである。
【図６】図５のVI-VI線断面図である。
【図７】図５に示す侍用カツラを分解した態様を模式的に表した図である。
【図８】図５の上方から見た枠部材の平面図である。
【図９】図１に示す侍用カツラがかぶせられるキャップを広げて上から見た状態の平面図である。
【図１０】図９に示すキャップの側面図である。
【図１１】他のキャップの平面図である。
【図１２】図１１に示すキャップの裏面図である。
【図１３】図１１に示すキャップを着用した着用者を後方から見た斜視図である。
【図１４】図１１に示すキャップを着用した着用者を前方から見た斜視図である。
【発明を実施するための形態】
【００１８】
以下、図面を参照して本発明の実施の形態を詳細に説明する。図１は、本発明の一実施の形態の侍用カツラの内部構造を示すために侍用カツラを正面から見て左右方向に展開した図であり、図２は、図１のII-II線断面図であり、図３は図１に示す侍用カツラを分解した態様を模式的に表した図である。なお、図２においては、カツラ用毛髪７を省略した状態で、各部材の厚み寸法を誇張して描いている。本例の侍用カツラ１は、枠部材３と被覆部材５とカツラ用毛髪７とを有しており、図３に示すように、俳優等の着用者Ｓの頭部に装着されたキャップＨの上にかぶせて使用される。キャップＨは、図９及び図１０に示すように、キャップ本体Ｈ１と後方布材Ｈ２と前方布材Ｈ３とそれぞれ２本の紐材Ｈ４，Ｈ５とを有している。なお、図９は本実施の形態で使用するキャップＨを広げて上から見た状態の平面図であり、図１０はキャップＨの側面図である。キャップ本体Ｈ１は、ラテックス（ゴムの形成材料となる液体）を複数層（１０層乃至１５層）に塗り重ねて形成されており、着用者Ｓの頭部の頂部を覆う部分を含んでいる。キャップ本体Ｈ１の後方には、後述する被係止材料Ｅが固定されている。本例では、着用者Ｓの頭部に装着されたキャップＨの頂部を露出させるようしてキャップＨの上にカツラ用毛髪７をかぶせる。後方布材Ｈ２は、綿により形成されており、キャップ本体Ｈ１の後方側縁部に接合されている。この後方布材Ｈ２は、着用者Ｓの頭の後頭部下部領域を覆う。前方布材Ｈ３は、絹の薄い帯状の布材料により形成されており、キャップ本体Ｈ１の前方端部に接合されている。後方布材Ｈ２及び前方布材Ｈ３は、キャップ本体Ｈ１を形成する工程（ラテックスを塗り重ねる工程）でキャップ本体Ｈ１内に一部が埋設されてキャップ本体Ｈ１に接合されている。２本の紐材Ｈ４は、綿により形成されており、帯状の前方布材Ｈ３の一方の端部に接合されている。２本の紐材Ｈ５も綿により形成されており、帯状の前方布材Ｈ３の他方の端部に接合されている。キャップＨを頭部に装着する際には、キャップ本体Ｈ１を頭部に被せた後、後方布材布Ｈ２を押さえるようにして紐材Ｈ４及びＨ５を頭部の後で結んで、頭髪が全体的に隠れるようにキャップＨを装着する。そして、キャップ本体Ｈ１の縁部を、粘着剤等を用いて着用者Ｓの生え際近傍の皮膚に接着する。
【００１９】
枠部材３は、図１及び図４（図１の上方から見た枠部材３の平面図）に示すように、厚み０．４ｍｍ、幅１ｃｍの鋼からなる細長い金属板が湾曲加工されて形成されている。枠部材３を形成する金属板の表面は、ファイバーグラスで薄く覆われている。この枠部材３は、キャップＨのキャップ本体Ｈ１の周辺部に近い位置で、着用者Ｓの頭部の後頭部及び両側頭部を囲む（挟む）ことができる形状とバネ性とを有している。このため、枠部材３は、キャップＨを介して着用者Ｓの頭部に弾発的に嵌合される。枠部材３の形状及びバネ性は、被係止材料Ｅと係止材料２５との係止と協働した場合に限って、侍用カツラ１を頭部に確実に保持できるように定められている。すなわち枠部材３は、単独では、しっかりとカツラを頭部に固定した状態にすることができない程度のあまり強くないバネ性を有している。その結果、着用者は、長時間カツラを着けていても、苦痛を感じることがない。
【００２０】
枠部材３に取り付けられた被覆部材５は、第１〜第４のシート材料９，１１，１３，１５が縫い合わされた状態で重合されている。被覆部材５の最も外側に位置する第１のシート材料９は、レースの織布から形成されており、肌色を有している。第１のシート材料９は、着用者Ｓの後頭部及び側頭部を被っており、表面にはカツラ用毛髪７が植毛されている。植毛されたカツラ用毛髪７は、天然または人工の毛髪からなり、丁髷の形に結われている。
【００２１】
第２のシート材料１１は、第１のシート材料９より厚み寸法の大きいレースの織布から形成されており、肌色を有している。第２のシート材料１１は、枠部材固定部１１ａと枠部材固定部１１ａの下に位置する下方部１１ｂとを有している。枠部材固定部１１ａには、接着剤を介して枠部材３が固定されている。下方部１１ｂは、枠部材３よりも下に位置する着用者Ｓの後頭部及び側頭部の主要部分を被っている。
【００２２】
第３のシート材料１３は、レースの織布から形成されており、枠部材３の下方に配置されている。被覆部材５のキャップＨと対向する内部または最も内側に位置する第４のシート材料１５は、シルクの織布から形成されており、枠部材３の下方に配置されている。第３のシート材料１３及び第４のシート材料１５の下方の縁部は、第３のシート材料１３及び第４のシート材料１５を重合したものよりも固い材料からなる縁取り部材１７によって覆われている。縁取り部材１７は、クラフトコードからなる細長い芯材１７ａと木綿の布地１７ｂとから構成されている。布地１７ｂは、細長い帯形状を有しており、芯材１７ａを内部に配置し、二つ折りの状態で第３のシート材料１３と第４のシート材料１５とを挟み込んで、第３のシート材料１３の下方の縁部と第４のシート材料１５の下方の縁部とに縫い合わされている。
【００２３】
図１に示すように、被覆部材５の縁部には、６個の形状保持プレート１９Ａ，１９Ｂ，２１Ａ，２１Ｂ，２３Ａ，２３Ｂが分散して配置されている。６個の形状保持プレート１９Ａ等は、形状変形が可能で変形状態を保持できる細長い鉛の板状材料からなり、表面にシリコンコーキング処理が施されている。６個の形状保持プレート１９Ａ等は、最も外側に位置する第１のシート材料９の縁部が捲れ上がるのを防止する役割を果たしている。本例では、形状保持プレート１９Ａ，１９Ｂは、０．３ｍｍの厚み寸法を有しており、枠部材３と第１のシート材料９と第２のシート材料１１とに跨って配置されている。形状保持プレート２１Ａ，２１Ｂ，２３Ａ，２３Ｂは、０．５ｍｍの厚み寸法を有しており、第１のシート材料９と第２のシート材料１１とに跨って配置されている。
【００２４】
更に、被覆部材５の中央部または中央部近傍には、第４のシート材料１５と枠部材３とに跨って係止材料２５が固定されている。係止材料２５は、侍用カツラ１をキャップＨの上に装着させた際に、キャップＨに固定された被係止材料Ｅ（図３）と係止可能な構造を有している。具体的に、係止材料２５は、被覆部材５に固定された面と反対側の非固定面に係止層２５ａを有している。被係止材料Ｅは、キャップＨに固定された面と反対側の非固定面に被係止層Ｅ１を有している。そして、係止層２５ａと被係止層Ｅ１とは、相互に係止と脱係止とを繰り返し可能な構造を有している。本例では、係止材料２５及び被係止材料Ｅは、両者が組になって面ファスナを構成するマジックテープ（登録商標）により構成されている。前述したように、枠部材３の形状及びバネ性は、被係止材料Ｅと係止材料２５との係止と協働した場合に限って、侍用カツラ１を頭部に確実に保持できるように定められている。本例では、被係止材料Ｅと係止材料２５とが係止される際に、枠部材３が着用者Ｓの頭部に違和感なくしっかりと嵌合されるように、予め着用者Ｓの頭部に合わせて枠部材３の形状及びバネ性を決定している。
【００２５】
本例の侍用カツラ１は、枠部材３をキャップＨを介して着用者Ｓの頭部に弾発的に嵌合し、係止材料２５と被係止材料Ｅとを係止状態にして着用者Ｓに着用させる。そして、枠部材３を着用者Ｓの頭部から外す際に、係止材料２５と被係止材料Ｅとの係合を解除して侍用カツラ１を取り外す。
【００２６】
本例の侍用カツラ１によれば、枠部材３のバネ性と被係止材料Ｅ及び係止材料２５の係止とを利用して頭部に着用し、被係止材料Ｅと係止材料２５との係止と協働した場合に限って、侍用カツラ１を頭部に確実に保持できるように、枠部材３の形状及びバネ性を定めるので、枠部材３の寸法及びバネ力を小さくしても、侍用カツラ１を頭部にしっかりと着用でき、侍用カツラ１の頭部に対する位置決めも正確に行える。そのため、着用者Ｓは、従来に比べて枠部材による痛みを感じずに侍用カツラ１を着用できる。また、枠部材３を小さく目立たなくできるため、より自然に見せることができる。
【００２７】
図５は、本発明の他の実施の形態の侍用カツラの内部構造を示すために侍用カツラを正面から見て左右方向に展開した図であり、図６は、図５のVI-VI線断面図であり、図７は図５に示す侍用カツラを分解した態様を模式的に表した図である。図５においては、後述する第３のシート材料１１３を透明に描いている。また、図６においては、各部材の厚み寸法を誇張して描いている。本例の侍用カツラ１０１は、枠部材１０３と被覆部材１０５とカツラ用毛髪１０７とを有しており、図７に示すように、着用者Ｓの頭部に装着されたキャップＨの上にかぶせて使用される。キャップＨは、図９に示すキャップＨと同じ構造を有している。
【００２８】
枠部材１０３は、図５及び図８（図５の上方から見た枠部材１０３の平面図）に示すように、厚み２ｍｍのファイバーグラスが湾曲されて形成されている。この枠部材１０３も、キャップＨの頂部に近い位置で、着用者Ｓの頭部の後頭部及び両側頭部を囲むように形成されている。本例の枠部材１０３は、図１に示す枠部材３より幅寸法（上下方向の寸法）が大きい。そして、枠部材１０３には、枠部材１０３を貫通する直径３ｍｍ〜９ｍｍの複数の貫通孔１０３ａが分散して形成されている。
【００２９】
枠部材１０３に取り付けられた被覆部材１０５は、第１〜第３のシート材料１０９，１１１，１１３が縫い合わされた状態で重合されて構成されている。被覆部材１０５の最も外側に位置する第１のシート材料１０９は、レースの織布から形成されており、肌色を有している。第１のシート材料１０９は、着用者Ｓの後頭部及び側頭部を被っており、表面にはカツラ用毛髪１０７が植毛されている。第１のシート材料１０９のほぼ中央は、枠部材１０３の複数の貫通孔１０３ａに糸を通し縫って固定されている。
【００３０】
第２のシート材料１１１は、第１のシート材料１０９より厚み寸法の大きいレースの織布から形成されており、肌色を有している。第２のシート材料１１１は、枠部材１０３の下方に配置されている。
【００３１】
第３のシート材料１１３は、第１のシート材料１０９と同じ構造を有している。そして、図６に示すように、第３のシート材料１１３は、第１のシート材料１０９との間に枠部材１０３及び第２のシート材料１１１をはさむようにして、第１のシート材料１０９と接合されている。本例では、第１のシート材料１０９及び第３のシート材料１１３の下方の縁部は、第１のシート材料１０９及び第３のシート材料１１３を重合したものよりも固い材料からなる縁取り部材１１７によって覆われている。縁取り部材１１７は、細長い帯形状の木綿の布地からなり、二つ折りの状態で第１のシート材料１０９と第３のシート材料１１３とを挟み込んで、第１のシート材料１０９の下方の縁部と第３のシート材料１１３の下方の縁部とに縫い合わされて接続されている。
【００３２】
被覆部材１０５の第３のシート材料１１３の中央部または中央部近傍には、係止材料１２５が固定されている。係止材料１２５は、侍用カツラ１０１をキャップＨの上にかぶせた際に、キャップＨに固定された被係止材料Ｅと係止可能な構造を有している。具体的には、係止材料１２５は、被覆部材１０５に固定された面と反対側の非固定面に係止層１２５ａを有している。被係止材料Ｅは、キャップＨに固定された面と反対側の非固定面に被係止層Ｅ１を有している。そして、係止層１２５ａと被係止層Ｅ１とは、相互に係止と脱係止とを繰り返し可能な構造を有している。本例では、係止材料１２５及び被係止材料Ｅは、両者が組になるマジックテープ（登録商標）の面ファスナにより構成している。
【００３３】
本例の侍用カツラ１０１は、着用者ＳのキャップＨの上にかぶせて、枠部材１０３をキャップＨを介して着用者Ｓの頭部に弾発的に嵌合し、係止材料１２５と被係止材料Ｅとを係合させて着用者Ｓに着用させる。そして、枠部材１０３を着用者Ｓの頭部から外し、係止材料１２５と被係止材料Ｅとの係合を解除して侍用カツラ１０１を取り外す。
【００３４】
本例の侍用カツラ１０１によれば、枠部材１０３には枠部材１０３を貫通する複数の貫通孔１０３ａが分散して形成しているので、複数の貫通孔１０３ａにより、侍用カツラ１０１内の通気性を高めることができる。また、必要に応じて複数の貫通孔１０３ａを通して第１のシート材料１０９と第３のシート材料１１３との縫い合わせを行うことができる。
【００３５】
図１１及び図１２は、上記の侍用カツラ１,１０１に用いることができる他のキャップＨ１０の平面図（侍用カツラがかぶせられるキャップを広げて上から見た状態の図）及び裏面図（侍用カツラがかぶせられるキャップを広げて下から見た状態の図）である。図１３は、キャップＨ１０を着用した着用者Ｓを後方から見た斜視図であり、図１４は、キャップＨ１０を着用した着用者Ｓを前方から見た斜視図である。本例のキャップＨ１０は、キャップ本体Ｈ１１と後方布材Ｈ１２とそれぞれ２本の紐材Ｈ１４，Ｈ１５とを有している。このように、本例のキャップＨ１０は、前方布材（図９の符号Ｈ３の部材）を有しておらず、紐材Ｈ１４，Ｈ１５は、キャップ本体Ｈ１１に直接的に接合されている。キャップ本体Ｈ１１は、ラテックス（ゴムの形成材料となる液体）を複数層（１０層乃至１５層）に塗り重ねて形成されており、着用者Ｓの頭部の頂部を覆う部分を含んでいる。図１３及び図１４に示すように、キャップ本体Ｈ１１は、着用者ＳがキャップＨ１０を装着した状態で、着用者Ｓの両耳の上方の地肌ＳＫが露出するような形状を有している。キャップ本体Ｈ１１の後方には、被係止材料Ｅ１０が固定されている。後方布材Ｈ１２は、綿により形成されており、キャップ本体Ｈ１１の後方側縁部に接合されている。この後方布材Ｈ１２は、着用者Ｓの頭の後頭部下部領域を覆う。２本の紐材Ｈ１４は、キャップ本体Ｈ１１の前方の一方の側部に接合されており、２本の紐材Ｈ１５は、キャップ本体Ｈ１１の前方の他方の側部に接合されている。後方布材Ｈ１２及び紐材Ｈ１４，Ｈ１５は、キャップ本体Ｈ１１を形成する工程（ラテックスを塗り重ねる工程）でキャップ本体Ｈ１１内に一部が埋設されてキャップ本体Ｈ１１に接合されている。キャップＨ１０を頭部に装着する際には、キャップ本体Ｈ１１を頭部に被せた後、紐材Ｈ１４及びＨ１５を頭部の後で結んで、頭髪が全体的に隠れるようにキャップＨ１０を装着する。そして、キャップ本体Ｈ１１の縁部を、粘着剤等を用いて着用者Ｓの生え際近傍の皮膚に接着する。本例のキャップＨ１０は、毛髪が薄い着用者に適している。本例のキャップＨ１０を用いれば、キャップの装着部分を少なくでき、着用者のキャップ装着の負担を少なくできる。
【００３６】
以下、図１３及び図１４に示したキャップの構成要件を付記する。
【００３７】
（１）  侍用カツラをかぶるために、着用者の頭部に装着されるキャップであって、
前記着用者が前記キャップを装着した状態で、前記着用者の両耳の上方の地肌が露出する形状を有していることを特徴とするキャップ。
【産業上の利用可能性】
【００３８】
本例の侍用カツラによれば、枠部材のバネ性と被係止材料及び係止材料の係止と利用して頭部に着用し、被係止材料と係止材料との係止と協働した場合に限って、侍用カツラを頭部に確実に保持できるように、枠部材の形状及びバネ性を定めるので、枠部材のバネ力を小さくしても、侍用カツラを頭部にしっかりと着用でき、着用者は、従来に比べて枠部材による痛みを感じずに侍用カツラを着用できる。
【符号の説明】
【００３９】
１  侍用カツラ
３  枠部材
５  被覆部材
７  カツラ用毛髪
９，１１，１３，１５  第１〜第４のシート材料
１７  縁取り部材
１９Ａ，１９Ｂ，２１Ａ，２１Ｂ，２３Ａ，２３Ｂ  形状保持プレート
２５  係止材料
Ｈ  キャップ
Ｅ  被係止材料
【図１】
2010216063.tif 000003
【図２】
2010216063.tif 000004
【図３】
2010216063.tif 000005
【図４】
2010216063.tif 000006
【図５】
2010216063.tif 000007
【図６】
2010216063.tif 000008
【図７】
2010216063.tif 000009
【図８】
2010216063.tif 000010
【図９】
2010216063.tif 000011
【図１０】
2010216063.tif 000012
【図１１】
2010216063.tif 000013
【図１２】
2010216063.tif 000014
【図１３】
2010216063.tif 000015
【図１４】
2010216063.tif 000016